(57)【要約】【課題】  扉枠に扉を揺動可能に連結するための二軸ヒンジ装置の一例を提供する。【解決手段】  リンク４を貫通するバネ調整ボルト８Ａ、８Ｂであって、ねじ部が扉側ブラケット３に設けられた雌ねじ部に挿入されて当該扉側ブラケット３に固定されたバネ調整ボルト８Ａ、８Ｂと、リンク４に対する扉側ブラケット３の姿勢を予め決められた姿勢に維持するための弾性力を発揮するコイルバネ５Ａ、５Ｂであって、バネ調整ボルト８Ａ、８Ｂの頭部とリンク４との間に挟まれた状態で、バネ調整ボルト８Ａ、８Ｂの首下部がコイル部を貫通したコイルバネ５Ａ、５Ｂと、リンク４に設けられた雌ねじ部に貫通挿入された離間調整ボルト９であって、先端が扉側ブラケット３又は扉Ｄに接触可能な離間調整ボルト９とを備える。これにより、当該二軸ヒンジ装置１では、扉Ｄの作動性及び扉Ｄの姿勢それぞれを独立して調整することが可能となる。【選択図】  図１
2020094394.tif 000002
【特許請求の範囲】
【請求項１】
扉枠に扉を揺動可能に連結するための二軸ヒンジ装置において、
前記扉枠に固定される枠側ブラケットと、
前記扉に固定される扉側ブラケットと、
前記枠側ブラケット側から前記扉側ブラケットに延びるリンクであって、一端側が前記枠側ブラケットに回転可能に連結され、他端側が前記扉側ブラケットに回転可能に連結されたリンクと、
前記リンクを貫通する第１ボルトであって、ねじ部が前記扉側ブラケットに設けられた雌ねじ部に挿入されて当該扉側ブラケットに固定された第１ボルトと、
前記リンクに対する前記扉側ブラケットの姿勢を予め決められた姿勢に維持するための弾性力を発揮するコイルバネであって、前記第１ボルトの頭部と前記リンクとの間に挟まれた状態で、前記第１ボルトの首下部がコイル部を貫通したコイルバネと、
前記リンクに設けられた雌ねじ部に貫通挿入された第２ボルトであって、先端が前記扉側ブラケット又は前記扉に接触可能な第２ボルトと
を備える二軸ヒンジ装置。
【請求項２】
前記枠側ブラケット及び前記リンクを貫通し、前記枠側ブラケットと前記リンクとを回転可能に連結する枠側回転軸と、
前記扉側ブラケット及び前記リンクを貫通し、前記扉側ブラケットと前記リンクとを回転可能に連結する扉側回転軸とを備え、
前記第１ボルト及び前記第２ボルトは、前記枠側回転軸と前記扉側回転軸との間に配置されている請求項１に記載の二軸ヒンジ装置。
【請求項３】
前記リンクは、空間を介して離間した２つの側壁部、及び当該２つの側壁部を繋ぐ底壁部を有して略コの字状に構成されたプレス成形品であり、
前記第１ボルト及び前記第２ボルトは、前記底壁部に設けられている請求項１又は２に記載の二軸ヒンジ装置。
【請求項４】
前記第１ボルト及び前記第２ボルトは、前記扉側ブラケットと前記リンクとの回転中心軸線と略平行な仮想線上に配置されている請求項１ないし３のいずれか１項に記載の二軸ヒンジ装置。
【請求項５】
偶数本の前記第１ボルトが仮想線上に並んで配置されており、
偶数本の前記第１ボルトの並び方向中央位置を通り、かつ、前記仮想線と直交する仮想線を第２の仮想線としたとき、前記第２ボルトは、前記第２の仮想線上に配置されている請求項１ないし４のいずれか１項に記載の二軸ヒンジ装置。
【請求項６】
前記第２ボルトは、前記並び方向中央位置に配置されている請求項５に記載の二軸ヒンジ装置。
【請求項７】
前記リンクは金属製であり、
前記リンクと前記コイルバネとの間には、樹脂製のワッシャが配置されている請求項１ないし６のいずれか１項に記載の二軸ヒンジ装置。
【請求項８】
前記枠側ブラケットと前記リンクとの回転中心軸線、及び前記扉側ブラケットと前記リンクとの回転中心軸線は、鉛直方向と略平行であり、かつ、前記リンクの延び方向は、水平方向と略平行であり、
前記リンクの上端面と前記扉側ブラケットとの間、及び前記リンクの下端面と前記枠側ブラケットとの間のみにスラスト軸受部材が配置されている請求項１ないし７のいずれか１項に記載の二軸ヒンジ装置。
【発明の詳細な説明】
【技術分野】
【０００１】
本開示は、扉枠に扉を揺動可能に連結するための二軸ヒンジ装置に関する。
【背景技術】
【０００２】
例えば、特許文献１に記載の二軸ヒンジ装置は、リンクに扉側ブラケットから突出した突出部、当該突出部を貫通して扉に対して固定された植込みボルト（スタッドボルト）、扉と突出部との間に配置された筒状のゴム、及び突出部側から植込みボルトに装着された押さえナットを備えている。
【０００３】
リンクは、扉側ブラケット及び枠側ブラケットに回転可能に連結された連結杆である。扉側ブラケットは扉に対して固定される支持体である。枠側ブラケットは扉枠に対して固定される支持体である。これにより、特許文献１では、押さえナットの締め込み量が調整されると、当該調整に応じて扉と突出部との間隔が変化する。
【先行技術文献】
【特許文献】
【０００４】
【特許文献１】特許第５９５０３１６号公報
【発明の概要】
【発明が解決しようとする課題】
【０００５】
特許文献１に記載の発明では、扉と突出部との間隔を小さくすべく、作業者が押さえナットの締め込み量を大きくすると、ゴムの圧縮変形量が増大して当該ゴムが扉に作用させる弾性力が大きくなる。扉と突出部との間隔を大きくすべく、作業者が押さえナットの締め込み量を小さくすると、ゴムの圧縮変形量が減少して当該ゴムが扉に作用させる弾性力が小さくなる。
【０００６】
上記のように、特許文献１に記載の発明は、扉と突出部との間隔が変化すると、ゴムが扉に作用させる弾性力が変化する。このため、特許文献１に記載の発明では、扉と突出部との間隔が変化すると、これに連動して扉の作動性が変化してしまう、という技術的な課題が発生する。
【課題を解決するための手段】
【０００７】
扉枠（Ｆ）に扉（Ｄ）を揺動可能に連結するための二軸ヒンジ装置（１）は、例えば、以下の構成要件のうち少なくとも１つを備えることが望ましい。
すなわち、当該構成要件は、扉枠（Ｆ）に固定される枠側ブラケット（２）と、扉（Ｄ）に固定される扉側ブラケット（３）と、枠側ブラケット（２）側から扉側ブラケット（３）に延びるリンク（４）であって、一端側が枠側ブラケット（２）に回転可能に連結され、他端側が扉側ブラケット（３）に回転可能に連結されたリンク（４）と、リンク（４）を貫通する第１ボルト（８Ａ、８Ｂ）であって、ねじ部（８Ｃ）が扉側ブラケット（３）に設けられた雌ねじ部（３Ｇ）に挿入されて当該扉側ブラケット（３）に固定された第１ボルト（８Ａ、８Ｂ）と、リンク（４）に対する扉側ブラケット（３）の姿勢を予め決められた姿勢に維持するための弾性力を発揮するコイルバネ（５Ａ、５Ｂ）であって、第１ボルト（８Ａ、８Ｂ）の頭部（８Ｄ）とリンク（４）との間に挟まれた状態で、第１ボルト（８Ａ、８Ｂ）の首下部（８Ｅ）がコイル部を貫通したコイルバネ（５Ａ、５Ｂ）と、リンク（４）に設けられた雌ねじ部（４Ｇ）に貫通挿入された第２ボルト（９）であって、先端が扉側ブラケット（３）又は扉（Ｄ）に接触可能な第２ボルト（９）とである。
【０００８】
これにより、当該二軸ヒンジ装置（１）では、第１ボルト（８Ａ、８Ｂ）の締め込み量が変化すると、扉（Ｄ）の作動性が変化する。第２ボルト（９）の締め込み量が変化すると、リンク（４）に対する扉側ブラケット（３）の姿勢、つまりリンク（４）に対する扉（Ｄ）の姿勢が変化する。したがって、当該二軸ヒンジ装置（１）では、扉（Ｄ）の作動性及び扉（Ｄ）の姿勢それぞれを独立して調整することが可能となる。
【０００９】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１０】
【図１】第１実施形態に係る二軸ヒンジ装置を示す図である。
【図２】第１実施形態に係る扉側ブラケットの分解図である。
【図３】第１実施形態に係る二軸ヒンジ装置の一部分解図である。
【図４】第１実施形態に係る二軸ヒンジ装置の構造を示す図である。
【図５】第１実施形態に係る二軸ヒンジ装置の構造を示す図である。
【図６】図６Ａ〜図６Ｃは、二軸ヒンジ装置の作動説明図である。
【図７】図７Ａ〜図７Ｃは、二軸ヒンジ装置の作動説明図である。
【図８】第２実施形態に係る二軸ヒンジ装置を示す図である。
【発明を実施するための形態】
【００１１】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１２】
なお、各図に付された方向を示す矢印及び斜線等は、各図相互の関係及び各部材又は部位の形状を理解し易くするために記載されたものである。したがって、本開示に示された発明は、各図に付された方向に限定されるものではない。斜線が付された図は断面図を示すものではない。
【００１３】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された二軸ヒンジ装置及び防水扉装置は、少なくとも符号が付されて説明された部材又は部位等の構成要素を備える。
【００１４】
（第１実施形態）
１．二軸ヒンジ装置の概要
本実施形態は、図１に示されるように、防水扉用のヒンジ装置に本開示に係る二軸ヒンジ装置１の一例が適用されたものである。防水扉Ｄ（以下、扉Ｄと略す。）とは、当該扉Ｄと扉枠Ｆとを液密に封止可能な扉である。
【００１５】
扉枠Ｆは、開口部の外縁を構成する枠状のフレームである。扉Ｄは、当該開口部を閉塞するための部材である。二軸ヒンジ装置１は、扉Ｄを扉枠Ｆに揺動可能に連結する蝶番である。
【００１６】
そして、二軸ヒンジ装置１は、開口部が扉Ｄにより閉じられている場合において、当該扉Ｄに水圧が作用したときに、当該扉Ｄが扉枠Ｆ側に変位することを許容する。これにより、水圧が大きくなるほど、パッキンＰ（図７Ａ参照）と扉Ｄとの接触面圧及びパッキンＰと扉枠Ｆとの接触面圧が大きくなるため、封止力が大きくなる。
【００１７】
２．二軸ヒンジ装置の構成
二軸ヒンジ装置１は、図１に示されるように、枠側ブラケット２、扉側ブラケット３、リンク４、コイルバネ５Ａ、５Ｂ、バネ調整ボルト８Ａ、８Ｂ、及び離間調整ボルト９等少なくともを備える。
【００１８】
＜枠側ブラケット、扉側ブラケット＞
枠側ブラケット２は扉枠Ｆに固定される部材である。扉側ブラケット３は扉Ｄに固定される部材である。なお、枠側ブラケット２及び扉側ブラケット３それぞれは、取付ボルト（図示せず。）等の締結具により、扉枠Ｆ及び扉Ｄそれぞれ固定される。
【００１９】
枠側ブラケット２と扉側ブラケット３とは、概ね同一な構成である。例えば、扉側ブラケット３は、図２に示されるように、ブラケット本体３Ａ、第１補強部３Ｂ及び第２補強部３Ｃ等を有して構成されている。
【００２０】
第１補強部３Ｂ及び第２補強部３Ｃは、ブラケット本体３Ａと協働して支持部３Ｄ、３Ｆ（図１参照）を構成する部材である。支持部３Ｄ、３Ｆは、扉側回転軸７（図１参照）を支持するための部位である。
【００２１】
ブラケット本体３Ａ、第１補強部３Ｂ及び第２補強部３Ｃは、金属製の板材に曲げ加工が施されて所定の形状に曲げ成形されたプレス成形品である。第１補強部３Ｂ及び第２補強部３Ｃは、ブラケット本体３Ａと共に上記取付ボルトにより扉Ｄに固定される。
【００２２】
＜リンク等＞
リンク４は、図１に示されるように、枠側ブラケット２側から扉側ブラケット３に延びる部材である。当該リンク４の延び方向一端側は、枠側回転軸６を介して枠側ブラケット２に回転可能に連結され、かつ、延び方向他端側は、扉側回転軸７を介して扉側ブラケット３に回転可能に連結されている。
【００２３】
具体的には、枠側回転軸６は、枠側ブラケット２の支持部２Ｄ、２Ｆ及びリンク４を貫通し、枠側ブラケット２とリンク４とを回転可能に連結する。なお、支持部２Ｄ、２Ｆは、支持部３Ｄ、３Ｆに相当する部位である。
【００２４】
扉側回転軸７は、扉側ブラケット３の支持部３Ｄ、３Ｆ及びリンク４を貫通し、扉側ブラケット３とリンク４とを回転可能に連結する。なお、本実施形態に係る枠側回転軸６及び扉側回転軸７は、鉛直方向と略平行に延びている。
【００２５】
本実施形態に係るリンク４は、延び方向と直交する断面形状が略コの字状に構成された部材である。具体的には、当該リンク４は、２つの側壁部４Ａ、４Ｂ及び底壁部４Ｃを有して構成されている。
【００２６】
２つの側壁部４Ａ、４Ｂは、互いに空間を介して離間した帯板状の部位である。底壁部４Ｃは、当該２つの側壁部４Ａ、４Ｂを繋ぐ帯板状の部位である。そして、２つの側壁部４Ａ、４Ｂ及び底壁部４Ｃは、１枚の金属製の板材に曲げ加工が施されて一体成形されたプレス成形品である。
【００２７】
なお、枠側回転軸６及び扉側回転軸７は、２つの側壁部４Ａ、４Ｂを板厚方向に貫通している。そこで、２つの側壁部４Ａ、４Ｂの間には、枠側回転軸６及び扉側回転軸７それぞれが貫通する筒状のカラー６Ａ、７Ａが配置されている。
【００２８】
カラー６Ａ、７Ａそれぞれの軸線方向一端側及び他端側には、枠側回転軸６及び扉側回転軸７それぞれの外周面と滑り接触するブッシング（図示せず。）が挿入されている。各ブッシングは、ラジアル滑り軸受部を構成する部材である。
【００２９】
本実施形態では、枠側ブラケット２とリンク４との回転中心軸線及び扉側ブラケット３とリンク４との回転中心軸線、つまり枠側回転軸６及び扉側回転軸７は、共に鉛直方向と略平行であり、かつ、リンク４の延び方向は、水平方向と略平行である。
【００３０】
そして、図１に示されるように、リンク４の上端面４Ｄと扉側ブラケット３との間、及びリンク４の下端面４Ｅと枠側ブラケット２との間のみにスラスト軸受部材７Ｂ、６Ｂが配置されている。
【００３１】
つまり、リンク４の下端面４Ｅと支持部３Ｆの上端面との間、及びリンク４の上端面４Ｄと支持部Ｄ２の下端面との間には、スラスト軸受部材に相当する部材が配置されておらず、空間（隙間）が存在する。
【００３２】
なお、スラスト軸受部材６Ｂは、リンク４の下端面４Ｅと支持部２Ｆの上端面とに滑り接触してスラスト方向（枠側回転軸６と平行な方向）の荷重を受ける。スラスト軸受部材７Ｂは、リンク４の上端面４Ｄと支持部３Ｄの下端面とに滑り接触してスラスト方向（枠側回転軸６と平行な方向）の荷重を受ける。
【００３３】
＜バネ調整ボルト、コイルバネ、離間調整ボルト＞
本実施形態では、図３に示されるように、バネ調整ボルト８及びコイルバネ５それぞれが２本設けられている。
【００３４】
以下、バネ調整ボルト８Ａを第１バネ調整ボルト８Ａという。バネ調整ボルト８Ｂを第２バネ調整ボルト８Ｂという。第１バネ調整ボルト８Ａ及び第２バネ調整ボルト８Ｂを総称する際には、バネ調整ボルト８という。
【００３５】
また、コイルバネ５Ａを第１コイルバネ５Ａという。コイルバネ５Ｂを第２コイルバネ５Ｂという。第１コイルバネ５Ａ及び第２コイルバネ５Ｂを総称する際には、コイルバネ５という。
【００３６】
図４に示されるように、バネ調整ボルト８は、リンク４を貫通する第１ボルトの一例である。当該バネ調整ボルト８のねじ部８Ｃは、扉側ブラケット３に設けられた雌ねじ部３Ｇに挿入されて当該扉側ブラケット３に固定されている。
【００３７】
コイルバネ５は、バネ調整ボルト８Ａ、８Ｂの頭部８Ｄとリンク４（底壁部４Ｃ）との間に挟まれている。具体的には、バネ調整ボルト８Ａ、８Ｂの首下部８Ｅが当該コイルバネ５のコイル部を貫通している。
【００３８】
そして、コイルバネ５が発揮する弾性力は、リンク４に対する扉側ブラケット３の姿勢を予め決められた姿勢に維持する。なお、コイルバネ５Ａには、第１バネ調整ボルト８Ａが貫通している。コイルバネ５Ｂには、第２バネ調整ボルト８Ｂが貫通している。
【００３９】
リンク４と各コイルバネ５Ａ、５Ｂとの間には、樹脂製のワッシャ５Ｃ、５Ｄが配置されている。各ワッシャ５Ｃ、５Ｄは、バネ調整ボルト８Ａ、８Ｂが貫通する貫通穴を有するとともに、底壁部４Ｃに設けられた貫通穴より大きな外径寸法を有する。
【００４０】
離間調整ボルト９は、リンク４に設けられた雌ねじ部４Ｇに貫通挿入された第２ボルトの一例である。当該離間調整ボルト９は、先端が扉側ブラケット３又は扉Ｄ（本実施形態では、扉側ブラケット３）に接触可能である。
【００４１】
＜バネ調整ボルト及び離間調整ボルトの配置構造＞
バネ調整ボルト８Ａ、８Ｂ及び離間調整ボルト９は、図１に示されるように、枠側回転軸６と扉側回転軸７との間に配置されている。具体的には、バネ調整ボルト８Ａ、８Ｂ及び離間調整ボルト９は、リンク４の底壁部４Ｃのうち扉側ブラケット３に対応する部位設けられている。
【００４２】
つまり、バネ調整ボルト８Ａ、８Ｂ及び離間調整ボルト９それぞれの長手方向は、互いに略平行である。扉側ブラケット３、リンク４、バネ調整ボルト８Ａ、８Ｂ及び離間調整ボルト９が、当該長手方向に直交する仮想平面に投影されると、図５に示されるように、バネ調整ボルト８Ａ、８Ｂ及び離間調整ボルト９は、扉側ブラケット３と重なる部位に位置する。
【００４３】
そして、バネ調整ボルト８Ａ、８Ｂ及び離間調整ボルト９は、扉側ブラケット３とリンク４との回転中心軸線、つまり扉側回転軸７の中心軸方向と略平行な第１仮想線Ｌ１上に配置されている。
【００４４】
具体的には、第１バネ調整ボルト８Ａと第２バネ調整ボルト８Ｂとが第１仮想線Ｌ１上に並んで配置されている。離間調整ボルト９は第２仮想線Ｌ２上に配置されている。第２仮想線Ｌ２は、第１バネ調整ボルト８Ａ及び第２バネ調整ボルト８Ｂの並び方向中央位置を通り、かつ、第１仮想線Ｌ１と直交する仮想線である。
【００４５】
第１バネ調整ボルト８Ａ及び第２バネ調整ボルト８Ｂの並び方向中央位置とは、第１バネ調整ボルト８Ａの中心位置と第２バネ調整ボルト８Ｂの中心位置とを結ぶ線分を二等分する位置をいう。
【００４６】
そして、本実施形態に係る離間調整ボルト９は、並び方向中央位置、つまり、第１仮想線Ｌ１と第２仮想線Ｌ２との交点に配置されている。したがって、第１バネ調整ボルト８Ａの中心位置から離間調整ボルト９の中心位置まで距離Ｄ１は、第２バネ調整ボルト８Ｂの中心位置から離間調整ボルト９の中心位置まで距離Ｄ２と同じである。
【００４７】
３．二軸ヒンジ装置の特徴
本実施形態に係る二軸ヒンジ装置１では、バネ調整ボルト８の締め込み量が変化すると、扉Ｄの作動性が変化する。
【００４８】
すなわち、コイルバネ５の弾性力は、バネ調整ボルト８を介して扉Ｄをリンク４に引き寄せる向きの力を当該扉Ｄに作用させる。このため、バネ調整ボルト８の締め込み量が大きくなると、コイルバネ５の撓み量を増大するので、扉Ｄをリンク４から引き離す向きの力が当該扉Ｄに作用しても、当該力が弾性力より小さい場合には、扉Ｄは動かない。
【００４９】
離間調整ボルト９の締め込み量が変化すると、リンク４に対する扉側ブラケット３の姿勢、つまりリンク４に対する扉Ｄの姿勢が変化する（図６Ａ〜図６Ｃ参照）。
すなわち、離間調整ボルト９が締め込まれると、離間調整ボルト９が扉側ブラケット３を押圧するので、扉Ｄの姿勢は、リンク４から離間するように変化する（図６Ａ参照）。
【００５０】
離間調整ボルト９が緩められると、離間調整ボルト９がリンク４側に変位するので、扉Ｄの姿勢は、コイルバネ５の弾性力によりリンク４に近寄るように変化する（図６Ｂ、図６Ｃ参照）。
【００５１】
したがって、二軸ヒンジ装置１を設置する施工者は、バネ調整ボルト８の締め込み量を調整することにより、扉Ｄの作動性を調整できる。さらに、施工者は、離間調整ボルト９の締め込み量を調整することにより、扉Ｄの姿勢を調整できる。つまり、施工者は、扉Ｄの作動性及び扉Ｄの姿勢それぞれを独立して調整することが可能となる。
【００５２】
本実施形態に係る二軸ヒンジ装置１は、防水用の扉Ｄに用いられる。これにより、パッキンＰの耐久性を向上させることが可能となり得る。
すなわち、扉Ｄの姿勢は、図７Ａに示されるように、扉Ｄが閉められ、かつ、当該扉Ｄに水圧が作用していない状態において、パッキンＰが大きく潰れていない状態で扉枠Ｆに接触する姿勢（以下、基本姿勢という。）が望ましい。
【００５３】
扉Ｄが開閉作動される際には（図７Ｂ参照）、当該扉Ｄに開閉力が作用するため、リンク４に対して扉Ｄが変位し、当該扉Ｄの姿勢が基本姿勢から外れてしまうおそれがある。扉Ｄが基本姿勢から外れた状態で開閉されると、パッキンＰが扉枠Ｆと擦れてしまうため、パッキンＰが早期に損傷してしまうおそれがある。
【００５４】
したがって、扉Ｄがリンク４に対して不動な構成であれば、パッキンＰが扉枠Ｆと擦れることを抑制でき得る。しかし、当該構成では、「扉Ｄに水圧が作用した際に、当該扉Ｄが水圧により扉枠Ｆ側に変位し、パッキンＰを大きく潰して液密性を高める機能」が発揮されない。
【００５５】
これに対して、本実施形態では、施工者は、扉Ｄの作動性及び扉Ｄの姿勢それぞれを独立して調整可能であるので、扉Ｄの開閉時においては扉Ｄがリンク４に対して動き難くなるように作動性を調整することにより、扉Ｄが基本姿勢から外れた状態で開閉されることを抑制できる。
【００５６】
そして、扉Ｄに水圧が作用した際には、当該扉Ｄは、リンク４と共に水圧により扉枠Ｆ側に変位し、パッキンＰを大きく潰して液密性を高める（図７Ｃ参照）。したがって、本実施形態に係る二軸ヒンジ装置１では、パッキンＰの耐久性を向上させることが可能となり得る。
【００５７】
バネ調整ボルト８及び離間調整ボルト９は、枠側回転軸６と扉側回転軸７との間に配置されている。これにより、リンク４の長手方向寸法、つまり、二軸ヒンジ装置１の水平方向寸法が大型化してしまうことが抑制される。
【００５８】
バネ調整ボルト８及び離間調整ボルト９は、リンク４の底壁部４Ｃに設けられている。これにより、バネ調整ボルト８及び離間調整ボルト９がリンク４内に収納された構成となるので、二軸ヒンジ装置１がコンパクトな構成となる。
【００５９】
バネ調整ボルト８及び離間調整ボルト９は、第１仮想線Ｌ１上に配置されている。これにより、例えば、バネ調整ボルト８及び離間調整ボルト９が第２仮想線Ｌ２上に配置された構成に比べて、二軸ヒンジ装置１がコンパクトな構成となる。
【００６０】
つまり、仮に、バネ調整ボルト８及び離間調整ボルト９が第２仮想線Ｌ２上に配置された構成であると、バネ調整ボルト８及び離間調整ボルト９が枠側回転軸６と扉側回転軸７との間に配置されるため、リンク４及び扉側ブラケット３のの水平方向寸法が大きくならざるを得ない。
【００６１】
しかし、本実施形態に係る二軸ヒンジ装置１であれば、バネ調整ボルト８及び離間調整ボルト９が第１仮想線Ｌ１上に配置されているので、二軸ヒンジ装置１がコンパクトな構成となる。
【００６２】
離間調整ボルト９は、第２仮想線Ｌ２上に配置されている。これにより、第１仮想線Ｌ１と平行な方向において、離間調整ボルト９を挟んで一方側に第１バネ調整ボルト８Ａが位置し、離間調整ボルト９を挟んで他方側に第２バネ調整ボルト８Ｂが位置する構成となる。
【００６３】
したがって、離間調整ボルト９が扉側ブラケット３（扉Ｄ）を押圧する力とコイルバネ５Ａ、５Ｂが扉側ブラケット３（扉Ｄ）を引き寄せる力及びモーメントを釣り合わせることが可能となる。
【００６４】
延いては、扉Ｄが離間調整ボルト９を中心として傾いてしまうことを抑制でき得る。そして、本実施形態に係る離間調整ボルト９は、並び方向中央位置に配置されている。これにより、扉Ｄが離間調整ボルト９を中心として傾いてしまうことが確実に抑制され得る。
【００６５】
リンク４は金属製であり、リンク４とコイルバネ５Ａ、５Ｂとの間には、樹脂製のワッシャ５Ｃ、５Ｄが配置されている。これにより、リンク４とコイルバネ５Ａ、５Ｂとが直接的に擦れ合うことが防止される。延いては、リンク４に施された防錆用の被覆層（例えば、メッキ層）が早期に損傷してしまうことが抑制される。
【００６６】
リンク４の上端面４Ｄと扉側ブラケット３との間、及びリンク４の下端面４Ｅと枠側ブラケット２との間のみにスラスト軸受部材６Ｂ、７Ｂが配置されている。これにより、リンク４の下端面４Ｅと支持部３Ｆの上端面との間、及びリンク４の上端面４Ｄと支持部Ｄ２の下端面との間には、空間（隙間）が存在する。
【００６７】
したがって、施行時又は調整時に扉Ｄを吊り上げること等を容易に行うことが可能となるので、本実施形態に係る二軸ヒンジ装置１を用いれば、施工者の作業性が向上する。
（第２実施形態）
本実施形態に係る二軸ヒンジ装置１は、図８に示されるように、カバー１０Ａ〜１０Ｅが設けられたものである。カバー１０Ａ〜１０Ｅは、略コの字状に構成されたリンク４等の部品を覆う部材である。
【００６８】
なお、カバー１０Ａ〜１０Ｅは、ネジ又はスナップフット等の機械的な固定手法により各部品に固定されている。上述の実施形態と同一の構成要件等は、上述の実施形態と同一の符号が付されている。このため、本実施形態では、重複する説明は省略されている。
【００６９】
（その他の実施形態）
上述の実施形態に係る二軸ヒンジ装置１は、防水扉装置に用いられた。しかし、本開示はこれに限定されるものではない。すなわち、当該開示は、防水扉装置以外の扉装置にも適用可能である。
【００７０】
上述の実施形態では、バネ調整ボルト８及び離間調整ボルト９は、枠側回転軸６と扉側回転軸７との間に配置されていた。しかし、本開示はこれに限定されるものではない。すなわち、当該開示は、例えば、バネ調整ボルト８及び離間調整ボルト９が、扉側回転軸７に対して枠側回転軸６と反対側に配置されていてもよい。
【００７１】
上述の実施形態では、リンク４が略コの字状断面形状に構成され、かつ、バネ調整ボルト８及び離間調整ボルト９は、リンク４の底壁部４Ｃに配置されていた。しかし、本開示はこれに限定されるものではない。すなわち、当該開示は、例えば、リンク４が単純な棒状の部材にて構成されたものであってもよい。
【００７２】
上述の実施形態では、バネ調整ボルト８及び離間調整ボルト９が第１仮想線Ｌ１上に配置されていた。しかし、本開示はこれに限定されるものではない。すなわち、当該開示は、例えば、バネ調整ボルト８が離間調整ボルト９に対して第２仮想線Ｌ２と平行な方向にずれた位置に配置されていてもよい。
【００７３】
上述の実施形態では、離間調整ボルト９が第２仮想線Ｌ２上に配置されていた。しかし、本開示はこれに限定されるものではない。すなわち、当該開示は、例えば、離間調整ボルト９が第２仮想線Ｌ２と平行な第３の仮想線上に配置されていてもよい。
【００７４】
上述の実施形態では、離間調整ボルト９が並び方向中央位置に配置されていた。しかし、本開示はこれに限定されるものではない。すなわち、当該開示は、例えば、離間調整ボルト９が当該中央位置から第２仮想線Ｌ２と平行な位置にずれた位置に配置されていてもよい。
【００７５】
上述の実施形態では、リンク４とコイルバネ５Ａ、５Ｂとの間には、樹脂製のワッシャ５Ｃ、５Ｄが配置されていた。しかし、本開示はこれに限定されるものではない。すなわち、当該開示は、例えば、当該ワッシャ５Ｃ、５Ｄが金属製である場合、又は当該ワッシャ５Ｃ、５Ｄが廃止された構成であってもよい。
【００７６】
上述の実施形態に係る離間調整ボルト９は、先端が扉側ブラケット３に接触可能であった。しかし、本開示はこれに限定されるものではない。すなわち、当該開示は、例えば、離間調整ボルト９が扉Ｄに接触可能な構成であってもよい。
【００７７】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００７８】
１… 二軸ヒンジ装置  ２… 枠側ブラケット  ３… 扉側ブラケット
４… リンク  ５、５Ａ、５Ｂ… コイルバネ
５Ｃ、５Ｄ… ワッシャ  ６… 枠側回転軸  ６Ｂ… スラスト軸受部材
７… 扉側回転軸  ７Ｂ… スラスト軸受部材  ８Ａ… 第１バネ調整ボルト
８Ｂ… 第２バネ調整ボルト  ９… 離間調整ボルト
【図１】
2020094394.tif 000003
【図２】
2020094394.tif 000004
【図３】
2020094394.tif 000005
【図４】
2020094394.tif 000006
【図５】
2020094394.tif 000007
【図６】
2020094394.tif 000008
【図７】
2020094394.tif 000009
【図８】
2020094394.tif 000010